(57)【特許請求の範囲】
【請求項１】
実質的にポリエステルであるポリマ（Ａ）を鞘部、伸長粘度の温度依存性がポリマ（Ａ）よりも大きいポリマ（Ｂ）を芯部とした芯鞘複合フィラメント（Ｆ）であって、芯鞘複合フィラメント（Ｆ）のポリマ（Ｂ）の複合比（Ｒ）が２種類以上のフィラメント群を同時に紡糸することを特徴とするポリエステル混繊糸の製造方法。
【請求項２】
芯鞘複合フィラメント（Ｆ）の繊度（ｄ）が２種類以上のフィラメント群を同時に紡糸することを特徴とする請求項１記載のポリエステル混繊糸の製造方法。
【請求項３】
ポリマ（Ｂ）の複合比（Ｒ）が芯鞘複合フィラメント（Ｆ）に対し２０重量％より小さいことを特徴とする請求項１または２記載のポリエステル混繊糸の製造方法。
【請求項４】
芯鞘複合フィラメント（Ｆ）において、ポリマ（Ｂ）の複合比（Ｒ）が最大であるフィラメント（Ｆ）の複合比（ＲMAX ）と最小であるフィラメント（Ｆ）の複合比（ＲMIN ）が下記の条件を満たすことを特徴とする請求項１〜３のいずれか１項記載のポリエステル混繊糸の製造方法。
ＲMIN ＜２重量％
ＲMAX −ＲMIN ≧０．４重量％
【請求項５】
芯鞘複合フィラメント（Ｆ）において、ポリマ（Ｂ）の複合比（Ｒ）が最大であるフィラメント（Ｆ）の複合比（ＲMAX ）と最小であるフィラメント（Ｆ）の複合比（ＲMIN ）が下記の条件を満たすことを特徴とする請求項１〜３のいずれか１項記載のポリエステル混繊糸の製造方法。
ＲMIN ≧２重量％
ＲMAX ／ＲMIN ≧１．２
【請求項６】
芯鞘複合フィラメント（Ｆ）の繊度（ｄ）の最大値（ｄMAX ）と最小値（ｄMIN ）が下記の条件を満たす請求項１〜５のいずれか１項記載のポリエステル混繊糸の製造方法。
１≦ｄMAX ／ｄMIN ≦１０
【請求項７】
紡糸速度（ｖ）が２５００ｍ／分以上であることを特徴とする請求項１〜６のいずれか１項記載のポリエステル混繊糸の製造方法。
【請求項８】
ポリマ（Ｂ）がポリスチレン系ポリマ、ポリアクリレート系ポリマ、アクリレート−スチレン共重合ポリマ、またはメチルペンテン系ポリマから選ばれる１種類以上のポリマである請求項１〜７のいずれか１項記載のポリエステル混繊糸の製造方法。
【請求項９】
ポリマ（Ａ）が実質的にポリエチレンテレフタレートである請求項１〜８のいずれか１項記載のポリエステル混繊糸の製造方法。
【請求項１０】
請求項１〜９のいずれか１項記載の製造方法により得られるポリエステル混繊糸を仮撚または延伸仮撚加工処理することを特徴とするポリエステル加工糸の製造方法。
【請求項１１】
実質的にポリエチレンテレフタレートであるポリマ（Ａ）を鞘部、ポリスチレン系ポリマであるポリマ（Ｂ）を芯部とした芯鞘複合フィラメント（Ｆ）であって、繊度（ｄ）が最大である芯鞘複合フィラメント（Ｆ）のポリマ（Ｂ）の複合比（Ｒ1 ）と繊度（ｄ）が最小である芯鞘複合フィラメント（Ｆ）のポリマ（Ｂ）の複合比（Ｒ2 ）が下記の条件を満たし、かつ紡糸速度（ｖ）２５００ｍ／分以上で同時に紡糸した後、仮撚または延伸仮撚加工処理することを特徴とするポリエステル加工糸の製造方法。
Ｒ1   ＜  Ｒ2 
【請求項１２】
実質的にポリエチレンテレフタレートであるポリマ（Ａ）を鞘部、ポリスチレン系ポリマであるポリマ（Ｂ）を芯部とした芯鞘複合フィラメント（Ｆ）であって、繊度（ｄ）が最大である芯鞘複合フィラメント（Ｆ）のポリマ（Ｂ）の複合比（Ｒ1 ）と繊度（ｄ）が最小である芯鞘複合フィラメント（Ｆ）のポリマ（Ｂ）の複合比（Ｒ2 ）が下記の条件を満たし、かつ紡糸速度（ｖ）５０００ｍ／分以上で同時に紡糸した後、熱処理することを特徴とするポリエステル加工糸の製造方法。
Ｒ1   ＞  Ｒ2 
【発明の詳細な説明】
【０００１】
【発明の属する技術分野】
本発明はポリエステル混繊糸および加工糸の製造方法に関するものである。詳しくは嵩高感、ソフト感にすぐれ、染め斑がないポリエステル加工糸を得るための、製糸性にすぐれ、加工糸の構造制御が容易でかつ幅広く、さらに従来の製造方法に比べプロセスの簡単なポリエステル混繊糸および加工糸の製造方法に関するものである。
【０００２】
【従来の技術】
ポリエステル繊維は機械的特性にすぐれ、単繊維間、繊維長手方向にわたって均一性が良いことから、一定の品質を得ることにおいて天然繊維に比べ有利な立場にあった。しかしながら近年衣料の多様化が進み、ファッション性が要求されるようになり、従来のプレーンなものより、より天然ライクな複雑な変化を有する糸条が好まれ、微妙な色調、風合、外観の変化を持ったポリエステル繊維の開発が要求されている。これらの要請に対し、単繊維間に繊度差、糸長差をもたせ、嵩高感、ソフト感にすぐれたポリエステル混繊糸が従来から検討されてきた。
【０００３】
従来、このようなポリエステル混繊糸を得るため、収縮差、伸度差、弾性率差等物性が相互に異なる２種類以上のマルチフィラメントをそれぞれ別個に紡糸した後、延伸工程、仮撚工程、その他の工程にて適宜開繊、合糸する方法が一般に行われている。これらの方法はフィラメント間の糸長差を調整しやすい点ですぐれているが、供給するための原糸をそれぞれ別個に準備する必要があるため原糸段階でのコストがかかること、および混繊のこなれが悪く風合も十分満足できないといった問題がある。
【０００４】
この問題を改善する方法として紡糸混繊法があり、これも従来より検討されている。紡糸混繊法は異なる特性を持ったフィラメント群を同時に紡糸、引き取りして得るものであり、主な手法として（１）化学構造、粘度等の異なる複数のポリマを同時に紡糸する方法、（２）フィラメント繊度の異なるフィラメント群を同時に紡糸する方法、（３）紡出から引き取りまでの間に工程差のあるフィラメント群を同時に紡糸する方法がよく知られており、また（４）一部のフィラメント群に異種ポリマを添加し、配向に差があるフィラメント群を同時に紡糸する方法も知られている。
【０００５】
（１）の複数のポリマを同時に紡出する方法として、例えば高収縮成分としてポリエチレンテレフタレート（以下ＰＥＴと略す）に別の成分を共重合させたポリエステル、低収縮成分としてＰＥＴを用い、同時に紡糸する方法（特開昭５３−１３４９４６号公報）等がある。しかし全く同一条件の紡糸によって大きな物性差が発現するようなポリマの組合せは少なく、また特殊なポリマを用いるとポリエステルのもつ風合を損ねることにもなりかねないという問題がある。さらにポリマにより収縮特性が決定されてしまうため品質の調整範囲が狭く、品種展開が難しいという問題もある。
【０００６】
（２）の方法として、例えば孔径の異なる孔から繊度の異なる繊維を押し出す方法（特開昭５２−６３４１７号公報、特開昭５２−６３４１８号公報）があるが、太繊度フィラメントの冷却は細繊度フィラメントの冷却より遅れるため、太繊度成分は低配向高伸度成分に、細繊度成分は高配向低伸度成分になる。このようなフィラメント群を仮撚加工処理した場合、細繊度成分に強い張力がはたらくため加工糸の中心部に細繊度成分が集まり、外層部に太繊度が浮いてくるため、織編物とした際に固いタッチと弱い腰を有することになる。従って一般にシルクライクあるいはウールライクとして必要な柔らかなタッチと張りのある腰とは全く異なる風合になってしまい好ましくないといった欠点がある。
【０００７】
（３）の方法は、前記した（１）または（２）の方法と併用されることが多く、例えば一部のフィラメント群の冷却固化後の熱処理温度を変えることで異収縮率混繊糸を得る方法（特開昭６２−１９１５１１号公報）があるが、この方法ではポリマの吐出から引き取りまでの紡糸線上に各種装置を配置するため製造コストがかかること、紡糸線が複雑となること、物性の異なるフィラメント群を一度収束させその後混繊するため混繊のこなれが不十分といった欠点がある。
【０００８】
（４）の方法は、例えばポリエステルにスチレン系、メタクリレート系およびアクリレート系重合体を添加し、低配向、高伸度化させたフィラメント群を、別の吐出孔より紡糸されたポリエステルフィラメント群と合糸する方法（特開昭５７−６１７１６号公報、特開昭５７−１４３５２２号公報、特開昭５８−９１８１０号公報）がある。
【０００９】
この方法では低配向、高伸度化させたフィラメント群とポリエステルからなるフィラメント群を同時に紡糸できるため混繊のこなれが良く交絡などの工程を簡素化できる、ポリマの吐出から引取りまでの紡糸線上に特別な装置を必要としないため製造コストをおさえられる等の点ですぐれているが、添加されたポリマによる悪影響があった。例えば、添加ポリマが繊維表面にも存在するため、製品が白濁や染色品の発色性不良となる、添加ポリマの熱分解によりガスが発生するという問題がある。また、ポリスチレンのように低軟化点温度を有するポリマを添加した場合、表層に存在する低軟化点ポリマのために、高温の熱処理を必要とする仮撚加工等の処理を行うと融着を起こす場合がある。さらに、ポリエステルに対し異種ポリマを少量均一にブレンドするのは非常に難しいため、ブレンド斑が生じ易く糸切れが多発したり、染斑の原因となる等の問題点がある。特にフィラメントの繊度が小さい場合には、製糸性の問題から添加量を大きくすることが難しいため、細繊度糸の配向を大きく低下させることは困難である。
【００１０】
【発明が解決しようとする課題】
本発明の目的はこのような従来技術の欠点に鑑み、嵩高感、ソフト感にすぐれ、染め斑がないポリエステル加工糸を得るための、製糸性にすぐれ、加工糸の構造制御が容易でかつ幅広く、さらに従来の製造方法に比べプロセスの簡単なポリエステル混繊糸および加工糸の製造方法を提供することにある。
【００１１】
【課題を解決するための手段】
前記した本発明の目的は、実質的にポリエステルであるポリマ（Ａ）を鞘部、伸長粘度の温度依存性がポリマ（Ａ）よりも大きいポリマ（Ｂ）を芯部とした芯鞘複合フィラメント（Ｆ）であって、芯鞘複合フィラメント（Ｆ）のポリマ（Ｂ）の複合比（Ｒ）が２種類以上のフィラメント群を同時に紡糸することを特徴とするポリエステル混繊糸の製造方法により達成される。
【００１２】
【発明の実施の形態】
本発明で最も重要なことは、実質的にポリエステルであるポリマ（Ａ）を鞘部、伸長粘度の温度依存性がポリマ（Ａ）よりも大きいポリマ（Ｂ）を芯部とした芯鞘複合フィラメント（Ｆ）であって、芯鞘複合フィラメント（Ｆ）のポリマ（Ｂ）の複合比（Ｒ）が２種類以上のフィラメント群を同時に紡糸することである。複合比（Ｒ）が異なるフィラメント（Ｆ）を同時に紡糸することで、配向の程度に差がある混繊糸を同時に得ることができる。
【００１３】
本発明でいうポリエステル混繊糸とは、ポリマ（Ａ）を鞘部、ポリマ（Ｂ）を芯部とした芯鞘複合フィラメント（Ｆ）からなるフィラメント群において、フィラメント（Ｆ）での複合比（Ｒ）が２種類以上あればどのようなポリエステルフィラメントの混繊でもよい。なお、フィラメント間に複合比（Ｒ）の違いを有するほかに、繊度差、断面形状差、収縮率差等があってもよい。
【００１４】
さらに、芯鞘複合フィラメント（Ｆ）の繊度（ｄ）が２種類以上あれば、配向の程度の異なった異繊度混繊糸を得ることができる。本発明の製造方法ではポリマ（Ｂ）の複合比（Ｒ）を異ならしめることでフィラメント（Ｆ）の配向の程度を容易に制御できる。したがって、後加工手段に応じて細繊度側のフィラメント（Ｆ）の配向の程度を制御して、後加工により細繊度側のフィラメント（Ｆ）を糸条外層に位置させることが容易となるため、すぐれた嵩高感、ソフト感および張りのある腰を持つ加工糸を得ることができる。
【００１５】
複合比（Ｒ）が２種類以上あるとは以下のことを言うものとする。すなわちマルチフィラメント中で、少なくとも１本のフィラメント（Ｆ）の複合比（Ｒ）が他のいずれかのフィラメント（Ｆ）の複合比（Ｒ）と異なることを意味する。なおＲ＝０重量％はフィラメント（Ｆ）がポリマ（Ａ）単独であることを意味するものとする。
【００１６】
本発明でいう芯鞘複合において、芯鞘形状は特に制限されるものでは無く、同心円芯鞘でも偏芯芯鞘でもよいし、芯が複数あるものや海島構造のものでもよい。すなわち、本発明では芯部ポリマ（Ｂ）が繊維軸方向に一定の量で連続的に存在し、かつ繊維表面に露出していないことが必要である。表面にポリマ（Ｂ）が露出していないことによりポリエステル繊維の特性、風合を損ねず、かつ工程通過性、製糸安定性が向上することに加え、ポリマ（Ｂ）がフィラメント（Ｆ）中で連続していることにより、小さい複合比（Ｒ）で大きな配向抑制効果が得られ、さらに、小さい複合比（Ｒ）でも繊維横断面でのポリマ（Ｂ）の存在比が保証されることにより、繊維長手方向にわたる均一性にすぐれる。そのため糸切れや毛羽などが少なく安定して製糸が行えることに加え、品質の均一性も格段に向上するのである。
【００１７】
芯鞘複合フィラメント（Ｆ）において、芯部ポリマ（Ｂ）は伸長粘度の温度依存性が鞘部ポリマ（Ａ）より高いポリマであるが、ここで言う伸長粘度の温度依存性は例えば以下のようにして相対比較できる。すなわち、比較するポリマを同一の紡糸条件（紡糸機、パック、口金孔径、フィラメント数、冷却条件、紡糸速度等）で最終的な繊維径も同一となるように別々に紡糸を行い、それぞれ糸速度または繊維径を紡糸線に沿って測定する。そして、より紡糸線上流で変形する方が伸長粘度の温度依存性が高いと判断できる。
【００１８】
複合比（Ｒ）は、得られた繊維が実質的にポリエステル繊維としての特徴を発現するためには、フィラメント（Ｆ）に対して２０重量％より小さく、好ましくは１０重量％以下である。複合比（Ｒ）がフィラメント（Ｆ）に対し全体の２０重量％以上となると、芯部ポリマの特性が強く発現し、製糸性および風合特性に鞘部ポリマの特性を生かすことができない。
【００１９】
後加工により嵩高感、ソフト感を付与させるためには、芯鞘複合フィラメント（Ｆ）において、ポリマ（Ｂ）の複合比（Ｒ）が最大であるフィラメント（Ｆ）の複合比（ＲMAX ）と最小であるフィラメント（Ｆ）の複合比（ＲMIN ）が下記の条件を満たすことが好ましい。
ＲMIN ＜２重量％
ＲMAX −ＲMIN ≧０．４重量％
ＲMIN ＜２重量％では、ＲMIN のフィラメント（Ｆ）での配向抑制効果が小さいため、０．４重量％以上の複合比（Ｒ）の差があれば配向の程度差が十分となり、後加工で嵩高感を付与できる。このとき複合比（Ｒ）の差が０．４重量％よりも小さい場合には配向の程度差が小さく、後加工により十分な嵩高感を付与することが出来ない。
【００２０】
ＲMIN ≧２重量％では、配向の程度差を十分付与するため、下記の条件を満たすことにより、後加工で嵩高感を付与することができる。
ＲMIN ≧２重量％
ＲMAX ／ＲMIN ≧１．２
本発明においてフィラメント（Ｆ）の繊度（ｄ）およびフィラメント（Ｆ）間の繊度差は特に限定されるものではなく、後加工手法、用途に従い任意に選択できる。ただし製糸安定性を考えた場合、フィラメント（Ｆ）繊度の最大値（ｄMAX ）とフィラメント（Ｆ）繊度の最小値（ｄMIN ）が下記の条件を満たすことが好ましい。
１≦ｄMAX ／ｄMIN ≦１０
ｄMAX ／ｄMIN が１０を越えると、細繊度のフィラメント（Ｆ）に糸切れ、毛羽が発生するおそれがある。より好ましくは２≦ｄMAX ／ｄMIN ≦１０である。
【００２１】
本発明により製造されるフィラメント（Ｆ）の繊維構造は、複合比（Ｒ）ならびに紡糸速度（ｖ）により決定される。すなわち紡糸速度（ｖ）をあげれば配向は進み、複合比（Ｒ）をあげればフィラメント（Ｆ）の配向は抑制されるため、目的、用途に応じて最適な複合比（Ｒ）および紡糸速度（ｖ）を決定できる。ただし、紡糸速度（ｖ）が２５００m/分より小さければ配向が十分進まないため、配向抑制の効果が発現しない。したがって、紡糸速度（ｖ）は２５００m/分以上が好ましい。
【００２２】
ポリマ（Ｂ）については、例えばＰＥＴに対してはポリスチレン系ポリマ、ポリアクリレート系ポリマ、メチルペンテン系ポリマ、アクリレート−スチレン共重合ポリマ等が伸長粘度の温度依存性が高いものとして挙げられる。またコストや入手し易さおよび紡糸性等の点から、ポリスチレン、ポリメチルメタクリレート、ポリ（４−メチル−１ペンテン）が好ましく、ポリスチレンが特に好ましい。
【００２３】
ポリマ（Ｂ）は伸長粘度の温度依存性がポリマ（Ａ）より高いポリマ単独でもよいし、本発明の効果を発現する範囲であれば該伸長粘度の温度依存性が高いポリマとポリエステル等他のポリマとブレンドしたものでもよい。この場合、芯部ポリマに対する該伸長粘度の温度依存性が高いポリマの比率は、従来のポリマ全体に対してブレンドする方法に比べかなり大きくなるのでブレンドが容易になり、従来の方法に比べブレンド斑に起因する欠点が著しく減少できる。
【００２４】
ポリマ（Ａ）を構成するポリエステルとしてはＰＥＴ、ポリブチレンテレフタレート、ポリエチレンナフタレート等が挙げられるが、ＰＥＴが最も汎用的であり好ましい。なお実質的にポリエステルであるというのは、ポリエステルにジオール成分および酸成分の一部が各々１５ｍｏｌ％以下の範囲で他の共重合可能な成分で置換されたものであってもよいことであり、またこれらは艶消剤、難燃剤、帯電防止剤、顔料などの添加物を含有していてもよい。
【００２５】
本発明の混繊糸の製造方法において特徴的なことは、複合比（Ｒ）が異なるフィラメント群を同時に吐出し、冷却後に収束、引き取りすればよく、紡糸線上で繊維構造制御の特別な処理を行う必要がないことである。したがって、特別な装置を必要としないため製造コストを抑えることができる。ただし、配向の程度差をさらに高める目的で紡糸線上に各種装置を配置してもかまわない。
【００２６】
このときそれぞれのフィラメント群は、別個の口金より吐出してもかまわないが、混繊のこなれを良くするため１個の口金から吐出することが好ましい。さらに必要に応じて高速気流により交絡を施すことは混繊のこなれをより高めるうえで好ましい。このように、本発明によれば糸条が初めて収束する時点でフィラメント群の混合ができるため、こなれがよい混繊糸を得ることができる。
【００２７】
本発明の混繊糸の製造方法では複合比（Ｒ）および紡糸速度（ｖ）を変えることにより混繊糸の特性を容易かつ広範囲にわたり制御することが可能である。したがって、本発明の製造方法では少量多品種生産が可能であり、多様な変化が求められる現代のニーズにも迅速に対応できる。このことも本発明の大きな利点の一つである。本発明において複合比（Ｒ）は例えばポリマ（Ｂ）の吐出量を変更することにより容易に変更できる。
【００２８】
本発明の混繊糸において嵩高感、ソフト感は仮撚加工またはリラックス熱処理等の後加工により付与されるが、仮撚加工または延伸仮撚加工を施すことが特に好ましい。
【００２９】
繊度（ｄ）が最大であるフィラメント（Ｆ）のポリマ（Ｂ）の複合比（Ｒ1 ）と繊度（ｄ）が最小であるフィラメント（Ｆ）のポリマ（Ｂ）の複合比（Ｒ2 ）がＲ1 ＜Ｒ2 を満たす場合、細繊度側が低配向フィラメント（Ｆ）となる。このフィラメント群に仮撚もしくは延伸仮撚加工を行うと、高配向である太繊度側フィラメント（Ｆ）に加撚張力が集中し、細繊度側には相対的に加撚張力がかからないため細繊度側の糸長が長くなる。したがって、細繊度側フィラメント（Ｆ）が混繊糸条外層に浮いてくる２層構造となるため、すぐれた嵩高感、ソフト感に加え柔らかいタッチと張りのある腰をもつ加工糸が得られる。このときリラックス熱処理等を施してもよい。
【００３０】
また、繊度（ｄ）が最大であるフィラメント（Ｆ）のポリマ（Ｂ）の複合比（Ｒ1 ）と繊度（ｄ）が最小であるフィラメント（Ｆ）のポリマ（Ｂ）の複合比（Ｒ2 ）がＲ1 ＞Ｒ2 を満たす場合は細繊度側が高配向フィラメント（Ｆ）となる。紡糸速度（ｖ）が５０００ｍ／分以上と十分高い時には細繊度側の配向が十分すすみ、結晶化して収縮率は太繊度側より小さくなる。このフィラメント群にリラックス熱処理を行うと、やはり細繊度側のフィラメント（Ｆ）が混繊糸条外層に位置する２層構造となるため、嵩高感、ソフト感、ドレープ性にすぐれた加工糸が得られる。このとき細繊度側のフィラメント（Ｆ）に糸切れが多発しない延伸倍率での延伸を行ってもよい。
【００３１】
本発明で得られたポリエステル繊維は加工糸として、パンスト、タイツ、水着、靴下などのストレッチ素材に好適に用いることができる。
【００３２】
【実施例】
以下、本発明を実施例を用いて詳細に説明する。なお、実施例中の測定方法は以下の方法を用いた。
【００３３】
Ａ．極限粘度［η］
オルソクロロフェノール中２５℃で測定した。
【００３４】
Ｂ．複合フィラメント（Ｆ）の複屈折率Δｎ
複合フィラメント（Ｆ）の複屈折率はＯＬＹＭＰＵＳ社製ＢＨ−２偏光顕微鏡を用い以下のように求めた（図１）。鞘部ポリマ（Ａ）と芯部ポリマ（Ｂ）の界面付近のレターデーションΓと鞘部ポリマ（Ａ）の光路長ｄより、複合フィラメント（Ｆ）の複屈折率＝Γ／ｄとした。なお、ｄはレターデーション測定位置と繊維表層からの距離ｂより計算した。なおポリマ（Ａ）単成分糸の場合は繊維中心でのΓと繊維径より求めた。
【００３５】
Ｃ．繊維の伸度
ＪＩＳ  Ｌ１０１３にしたがい、オリエンテック社製引張試験機で試料長５０ｍｍ、引張速度５０ｍｍ／分の条件で荷重−伸長曲線を求めた。荷重−伸長曲線の最大応力点での伸びを初期試料長で割り伸度とした。
【００３６】
Ｄ．沸騰水収縮率
繊維をかせ取りし、９８℃の沸騰水に１５分間浸漬した後、処理前後の寸法変化を測定し次の式から計算した。
沸騰水収縮率＝［（処理前長−処理後長）／処理前長］×１００
【００３７】
Ｅ．風合特性（嵩高感、ソフト感、張り腰、染め斑）
各項目とも、試料を基準試料との一対比較による官能試験を実施し、４段階評価した。そしてそれらを総合評価して「極めてすぐれている」は◎、「すぐれている」は○、「普通」は△、「劣っている」は×で表した。なお、基準試料には通常定番品種として用いられている仮撚加工糸（１６７ｄｔｅｘ、４８フィラメント）を試料と同様に製編したものを用い、これを「普通」とした。
【００３８】
実施例１
極限粘度０．６３のＰＥＴとポリスチレン（旭化成社製スタイロン６８５）をそれぞれ別々に溶融し、絶対濾過径１０μｍのステンレス製不織布フィルタにより濾過した後、ポリスチレンを芯部、ＰＥＴを鞘部の同心円状の芯鞘複合にして、紡糸温度２９０℃で孔数８０の口金から吐出した。この時口金内の計量部絞り、吐出孔絞りを調整し、ポリスチレンの複合比（Ｒ）が３．０重量％のものが８本、５．０重量％のものが７２本となるようにした。また、それぞれのフィラメント（Ｆ）の繊度（ｄ）はＲ＝３．０重量％のものが１０ｄｔｅｘ（太繊度）、Ｒ＝５．０重量％のものが１．９ｄｔｅｘ（細繊度）となるように５０００ｍ／分の速度で引き取った。これに、熱板温度２１５℃、延伸倍率１．７０倍、ツイスター回転数６８００ｒｐｍ、加工速度７００ｍ／分の条件で延伸仮撚加工を行った。この仮撚加工糸は細繊度成分が太繊度成分に対し外側から包み込むようにからみつき、糸長差の発生により細繊度糸が所々浮いた２層構造の繊維であった。これを用い筒編み地を作製し風合特性を評価した（Ｎｏ．１）。表１に示すように、嵩高感と張り腰、ソフト感を併せ持つ良好な風合いのものであり、染め斑も極めて良好であった。また、紡糸巻取り糸の性質を表２に示すが、太繊度糸の方がΔｎが高く配向が進んでいることがわかる。そのため、延伸仮撚加工において細繊度糸に張力がかからず、外側にまわったことがわかる。
【００３９】
比較例１
細繊度側をＲ＝３重量％と太繊度と同じ複合比の芯鞘複合とした以外は実施例１と同様な条件で紡糸巻取り、延伸仮撚を行った。しかしこれは表１に示すように、嵩高感、張り腰、ソフト感ともに満足できるレベルではなかった（Ｎｏ．２）。この仮撚加工糸では実施例１とは逆に太繊度側が外側に回っていた。これは紡糸巻取り糸において細繊度側の配向が進んでいるためである（表２）。
【００４０】
実施例２
太繊度側の繊度を５ｄｔｅｘ、１８ｄｔｅｘ（Ｎｏ．３、４）と変化させた以外は実施例１と同様な条件で紡糸巻取り、延伸仮撚を行った。筒編み地の風合特性を表１に示す。この時も嵩高感と張り腰、ソフト感を併せ持った良好な風合であり、染め斑も極めて良好であった。
【００４１】
実施例３
紡糸速度を７０００ｍ／分とした以外は実施例１と同様な条件で紡糸巻取りを行った。これに延伸倍率を１．１倍とした以外は実施例１と同様な条件で延伸仮撚加工を行った（Ｎｏ．５）。この時も嵩高感と張り腰、ソフト感を併せ持った良好な風合となり、染め斑も良好であった（表１）。
【００４２】
実施例４
細繊度側のポリスチレンの複合比（Ｒ）を４、１０、１７重量％とした以外は実施例１と同様な条件で紡糸巻取りを行った（Ｎｏ．６、７、８）。これらに実施例１と同様な条件で延伸仮撚加工を行った。いずれも実施例１と同様に細繊度糸が外側にまわった２層構造の繊維となった。これらの筒編み地を作成し、風合特性を評価した。この時も嵩高感と張り腰、ソフト感を併せ持ったすぐれた風合が得られ、染め斑も良好であった。
【００４３】
実施例５
太繊度側をＰＥＴ１００重量％、細繊度側を芯部ポリスチレン、鞘部ＰＥＴでありＲ＝０．４重量％とした以外は実施例１と同様な条件で紡糸巻取りを行った（Ｎｏ．９）。これに延伸倍率を１．２倍とした以外は実施例１と同様な条件で延伸仮撚加工を行った。これも実施例１と同様に細繊度糸が外側にまわった２層構造の繊維となった。これらの筒編み地を作成し、風合特性を評価した。この時も嵩高感と張り腰、ソフト感を併せ持ったすぐれた風合が得られ、染め斑も極めて良好であった。
【００４４】
実施例６
太繊度側を芯部ポリスチレン、鞘部ＰＥＴでありＲ＝５重量％の芯鞘複合、細繊度側をＰＥＴ１００重量％とし、引取り速度を６０００ｍ／分とした以外は実施例１と同様な条件で紡糸巻取りを行った。これの筒編み地を作成した後、湿熱下で９８℃の熱処理を施した（Ｎｏ．１０）。これは表１に示すように、嵩高感と張り腰、ソフト感を併せ持つ良好な風合いのものであり、染め斑も極めて良好であった。
【００４５】
実施例７
太繊度側の複合比（Ｒ）をＲ＝０．４重量％とし、引取り速度を５０００ｍ／分とした以外は実施例６と同様な条件で紡糸巻取りを行った。これの筒編み地を作成した後、湿熱下９８℃の熱処理を施した（Ｎｏ．１１）。これも表１に示すように、嵩高感と張り腰、ソフト感を併せ持つ良好な風合いのものであり、染め斑も極めて良好であった。
【００４６】
比較例２
ポリスチレンを複合させる代わりにポリスチレンを添加した以外は実施例１と同様な条件で紡糸巻き取り、延伸仮撚加工を行った（Ｎｏ．１２）。しかし、加工工程で融着が多発した。そのため筒編み地も嵩高感、ソフト感に乏しいものであり、染め斑も大きいものであった。
【００４７】
【表１】
0003666135.tif 000002
【表２】
0003666135.tif 000003
【００４８】
【発明の効果】
本発明の方法によると、フィラメント間で配向の程度が異なった混繊糸を、従来よりも簡単なプロセスで安定に生産することができる。さらに、紡糸巻取り時の配向の程度が容易に制御できることから、仮撚加工および延伸仮撚加工または熱処理などの後加工を施すことで嵩高感、ソフト感、張り腰にすぐれた加工糸を安定に生産することができる。
【図面の簡単な説明】
【図１】複屈折率の測定方法を示す図である。
【図１】
0003666135.tif 000004